(57)【要約】【課題】証明書の発行申請者が、事前に届け出された申請者であることを確認することによって、正しく証明書を発行する証明書発行方法を提供する。【解決手段】証明書発行者が、証明書発行申請者の責任者が正当な責任者であることを確認して証明書を発行する証明書発行方法であって、証明書発行者が申請者のＩＤを生成するステップと、申請者の責任者の署名を提出させるステップと、申請者のＩＤと申請者の責任者の署名を関連付けて証明書発行者のＤＢに登録するステップと、ＩＤを申請者に通知するステップと、証明書発行申請書を受け付けるステップと、証明書発行申請書に記載された責任者の署名を読取るステップと、読取られた責任者の署名とＤＢに登録された責任者の署名を照合するステップと、照合結果の一致を確認して申請書に記載された申請者に対して証明書を発行するステップと、を具備する証明書発行方法を提供する。【選択図】  図１
2006085307.tif 000002
【特許請求の範囲】
【請求項１】
証明書発行者が、証明書発行申請者の責任者が正当な責任者であることを確認して証明書を発行する証明書発行方法であって、
証明書発行者が申請者のＩＤを生成するステップと、申請者の責任者の署名を提出させるステップと、申請者のＩＤと申請者の責任者の署名を関連付けて証明書発行者のデータベース（ＤＢ）に登録するステップと、ＩＤを申請者に通知するステップと、
証明書発行申請書を受け付けるステップと、
証明書発行申請書に記載された責任者の署名を読取るステップと、読取られた責任者の署名とＤＢに登録された責任者の署名を照合するステップと、
照合結果の一致を確認して申請書に記載された申請者に対して証明書を発行するステップと、
を具備することを特徴とする証明書発行方法。
【請求項２】
請求項１に記載の証明書発行方法において、
責任者の署名は、印鑑の印影，サイン，光学読取コード，生体情報，ＲＦＩＤの何れか、または、組合せであることを特徴とする証明書発行方法。
【発明の詳細な説明】
【技術分野】
【０００１】
本発明は、証明書発行システムに関し、詳しくは、展示会，博覧会，会議等のイベントにおいて、主催者から出展者や、参加者に発行される施設への入場許可証等の証明書発行方法に関する。
【背景技術】
【０００２】
展示会等では、主催者側は、出展関係者に対して施設への入場許可証または、出展関係者であることの証明書を発行する。近年では、許可証や、証明書には文字で表記した出展者情報の他に、顔写真を貼付するようにして安全性を高めている。
入場許可証や、証明書の発行に際しては、通常、主催者側から出展関係者に証明書発行申請書を配布し、個人情報の記載と写真の貼付を要求している。
証明書発行申請書には、出展関係者の責任者の捺印欄が設けられており主催者はこの捺印を確認して、許可証や、証明書を発行する。
証明書に記載された出展関係者の個人情報は、データベース（以下、ＤＢという。）化され、主催者側のホストコンピュータに保管される。
【０００３】
このような証明書発行システムでは、申請書に捺印された出展責任者の印が本当の責任者であるか否かの判定が主催者側ではできなかった。そのため、偽造された申請書に対して不正な許可証や、証明書が発行される可能性があった。
許可証や、証明書の偽造を防止するための技術は、いくつか開示されている（例えば、特許文献１参照）が、これらの技術は、不正な許可証や、証明書の発行を防止する技術ではない。
【０００４】
【特許文献１】特開２００４−３０３３４号公報
【発明の開示】
【発明が解決しようとする課題】
【０００５】
そこで、本発明は、証明書の発行申請者が、事前に届け出された申請者であることを確認することによって、正しく証明書を発行する証明書発行方法を提供する。
【課題を解決するための手段】
【０００６】
前記課題の目的を達成するために、請求項１に記載の発明の証明書発行方法は、証明書発行者が、証明書発行申請者の責任者が正当な責任者であることを確認して証明書を発行する証明書発行方法であって、証明書発行者が申請者のＩＤを生成するステップと、申請者の責任者の署名を提出させるステップと、申請者のＩＤと申請者の責任者の署名を関連付けて証明書発行者のＤＢに登録するステップと、ＩＤを申請者に通知するステップと、証明書発行申請書を受け付けるステップと、証明書発行申請書に記載された責任者の署名を読取るステップと、読取られた責任者の署名とＤＢに登録された責任者の署名を照合するステップと、照合結果の一致を確認して申請書に記載された申請者に対して証明書を発行するステップと、を具備することを特徴とするものである。
【０００７】
また、請求項２に記載の発明は、請求項１に記載の発明において、責任者の署名は、印鑑の印影，サイン，光学読取コード，生体情報，ＲＦＩＤの何れか、または、組合せであることを特徴とするものである。
【発明の効果】
【０００８】
１）請求項1に記載のように、証明書発行者が、証明書発行申請者の責任者が正当な責任者であることを確認して証明書を発行する証明書発行方法であって、証明書発行者が申請者のＩＤを生成するステップと、申請者の責任者の署名を提出させるステップと、申請者のＩＤと申請者の責任者の署名を関連付けて証明書発行者のＤＢに登録するステップと、ＩＤを申請者に通知するステップと、証明書発行申請書を受け付けるステップと、証明書発行申請書に記載された責任者の署名を読取るステップと、読取られた責任者の署名とＤＢに登録された責任者の署名を照合するステップと、照合結果の一致を確認して申請書に記載された申請者に対して証明書を発行するステップと、を具備することによって、証明書申請者のＩＤと、責任者の署名をあらかじめ登録し、証明書発行申請時に記載された責任者の署名と登録された責任者の署名を照合することで、不正な申請を発見することができ、不正な申請者に証明書を発行するトラブルを防止することができる。
２）また、請求項２に記載のように、請求項１に記載の発明において、責任者の署名は、印鑑の印影，サイン，光学読取コード，生体情報，ＲＦＩＤの何れか、または、組合せであることによって、主催者は、予算面，技術面で、イベントの内容に合った方法を採用することができる。
【発明を実施するための最良の形態】
【０００９】
以下、図面を参照して、本発明の証明書発行方法について説明する。
図１は、本発明の証明書発行方法による証明書発行手順について説明するための図，図２は、証明書発行申請書の一例について説明するための図，図３は、証明書の一例について説明するための図，図４は、署名が印鑑の印影の場合の一例について説明するための図，図５は、署名がサインの場合の一例について説明するための図，図６は、署名が光学読取マークの場合の一例について説明するための図，図７は、署名が生体情報の場合の一例について説明するための図，図８は、署名がＲＦＩＤの場合の一例について説明するための図，である。
【００１０】
図１の証明書発行手順図を参照して、本発明の証明書発行方法について説明する。
以下の説明では、イベントの一例としてＩＴ関連機器や，食品製造装置，自動販売機等の展示会の例で説明する。
主催者１は、展示会の出展者に展示会の準備のために出入するブースの組み立て、配線業者，展示会期間中に説明員として会場に出入する出展関係者（証明書申請者）２に対して写真入の入場許可証，説明員証等の証明書を発行する。
【００１１】
主催者１は、展示会の企画を行い、新聞，雑誌，インターネット等のマスコミ、または、ＤＭ（ダイレクトメール）を利用して出展希望者に告知する（ステップ１：以下Ｓ１という。）。
出展希望者は、参加の意思を主催者側に伝え、詳細説明書を取り寄せる。一方で内部的な出展の準備を開始する（Ｓ２）。
出展希望を受理した主催者は、出展を許可するか否か審査する。
出展者にＩＤ番号を交付するためにＩＤ番号を生成し（Ｓ３）、出展者にＩＤ番号を書面で連絡する（Ｓ４）。
出展者は、ＩＤ番号を取得し、稟議を起案し、社内の承認を取り付ける（Ｓ５）。
【００１２】
主催者は、出展者に対して、入場許可証，説明員証明書を発行するために必要な枚数、と申請責任者の署名提出を要請する（Ｓ６）。
主催者の要請を受けて、出展者の責任者は、入場許可証，説明員証明書の発行申請を行うために、入場許可証，説明員証明書の枚数を決定し、責任者の署名を貼付して主催者に提出する（Ｓ７）。
【００１３】
主催者側では、出展者（申請者）のＩＤと、出展者の責任者の署名をＤＢに登録する（Ｓ８）。
責任者の署名は、印鑑の印影，サイン，光学読取コード，生体情報，ＲＦＩＤなど何れでもよいが、主催者側で何れかに指定することができるために、登録の際は同じ方法で入力する。
【００１４】
出展者（申請者）側は、ブース作製工事担当者，説明員，ブース管理責任者の写真を集め、責任者の署名を貼付して前記証明書類の発行枚数を主催者側に申請する（Ｓ９）。
【００１５】
主催者側は、申請者から提出された証明書発行申請書を受領し、ＩＤ番号をキーにして貼付された署名とＤＢから読出された署名を照合する（Ｓ１０）。
照合結果、事前に提出された責任者の署名と一致していたら証明書発行手続を進める（Ｓ１１）。
一致していない場合は、再度申請責任者の署名の提出を要請する（Ｓ６）。
【００１６】
図２を参照して、証明書発行申請書の一例について説明する。
展示会証明書発行申請書２０には、証明書１枚発行について1枚提出する。申請書には、写真貼付欄２０１，個人情報記入欄２０２，日程記入欄，申請責任者署名欄２０４が設けてある。
対象となる申請者は、前述のブース作製工事担当者，説明員，ブース管理責任者等である。
申請者欄には、漢字で申請者の氏名を漢字で記載し、性別を記載する。
出展者記載欄には、出展会社（団体）名を記載する。
ＩＤ番号欄には、主催者から支給されたＩＤ番号を記載する。
また、図示していないが、日程の枠欄の傍らに、それぞれ展示期間内の「第何日目」，「何日から何日まで」などと記載されており、記載されている該当日の枠内にチェックマークを記載する。
また、申請責任者は、申請責任者のＥメールアドレス，電話番号，署名を記載する。
図示しないが、署名欄の近くには、「記載した署名は変更不可」などと、署名に関する注意事項が印刷されている。
【００１７】
図３を参照して、証明書の一例について説明する。
証明書３０のタイトルは、「展示関係者証明書」であったり、「展示関係者入場許可証」であったり、「○○出展者工事関係者」であったりする。
厚紙に必要事項、例えば、「○○展示会展示関係者証明書」，「申請者氏名」，「出展者名（会社名）」，前述の「ＩＤ番号」，「主催者名（会社名）」等がプリントされている。主催者名の末尾には主催者の社印等が押印されている。
右上の顔写真貼付欄には、申請時に貼付された顔写真の画像がスキャナーで入力されてプリントされている。
証明書３０は、透明フィルムでラミネートされている場合もあれば、透明ケースに挟み込まれている場合もある。
【００１８】
以下に、署名の一例について説明する。
図４は、印鑑４１の例である。社印の場合もあれば、個人印の場合もある。
スキャナーで読取れるように、赤，墨，ブルー等濃い色で捺印するように指定される。
【００１９】
図５は、署名の一例の、サイン４２の例である。
印鑑の場合と同様、赤，墨，ブルー等濃い色でサインするように指定される。
【００２０】
図６は、署名が、光学読取マーク４３の例である。光学読取マーク４３は、データ量によって、１次元バーコード，２次元コード等を選択することができる。
署名として使用されるために、記録される情報量が大きい方が好ましく、また偽造防止の意味からも、２次元コードが選択される。
２次元コードには、データコード，マキシコード，ＣＰコード，図示しているＱＲコード等があるが、読取装置によって決定される。
２次元コードが使用される場合は、提出された責任者の情報が主催者側によって２次元コード化され出展者に提供される。
【００２１】
図７は、生体情報４４の１つである指紋の例である。
登録した指の指紋を、指紋の隙間が潰れないように朱肉などを使用して押捺する。
【００２２】
図８は、署名がＲＦＩＤ４５の場合の例である。
ＲＦＩＤは、アンテナに極めて小容量のＩＣチップを接続して、無線でＩＣチップに所定桁数の情報を記録したもので、署名の確認が容易に行える。
ＲＦＩＤに記録する情報は、申請者（出展者）を登録する際の、申請者のＩＤ番号でもよいし、申請者のＩＤプラス、責任者の名前をコード化したデータでもよい。
この場合も、主催者側から支給され、申請書に貼付される。
【００２３】
図４から図８で説明した署名の方法は、それぞれが、単独で使用されても、組合せで使用されてもよい。
例えば、図５のサインと図４の印鑑の併用、また、図５のサインと図７の生体情報の併用、また、図５のサインと図６の２次元コードの併用、その他の組み合せでもよい。
【産業上の利用可能性】
【００２４】
本発明の証明書発行方法は、安全性が要求されるイベント全般の証明書発行に利用できる。
【図面の簡単な説明】
【００２５】
【図１】本発明の証明書発行方法による証明書発行手順について説明するための図である。
【図２】証明書発行申請書の一例について説明するための図である。
【図３】証明書の一例について説明するための図である。
【図４】署名が印鑑の印影の場合の一例について説明するための図である。
【図５】署名がサインの場合の一例について説明するための図である。
【図６】署名が光学読取マークの場合の一例について説明するための図である。
【図７】署名が生体情報の場合の一例について説明するための図である。
【図８】署名がＲＦＩＤの場合の一例について説明するための図である。
【符号の説明】
【００２６】
１      主催者側
２      証明書申請者側
２０    証明書発行申請書の一例
３０    証明書の一例
４１    印鑑の印影の一例
４２    サインの一例
４３    光学読取コードの一例
４４    生体情報の一例
４５    ＲＦＩＤの一例
２０１  顔写真（印画紙）貼付欄
２０２  個人情報記入欄
２０３  参加日程申告欄
２０４  申請責任者署名欄
【図１】
2006085307.tif 000003
【図２】
2006085307.tif 000004
【図３】
2006085307.tif 000005
【図４】
2006085307.tif 000006
【図５】
2006085307.tif 000007
【図６】
2006085307.tif 000008
【図７】
2006085307.tif 000009
【図８】
2006085307.tif 000010